(57)【要約】      （修正有）【課題】浅い水槽でも利用できる給水装置を提供する。【解決手段】水取り入れ部１５と、水取り入れ部１５から水１６を受け取る混合室１３と、混合室１３に位置する攪拌部１２と、水取り入れ部１５に位置する泡発生器２０と、を含む、給水装置１００を用いる。さらに、混合室１３から水１６を受け取る水供給管１１を有する給水装置１００を用いる。水取り入れ部１５が管状であり、管状の途中に泡発生器２０を取り付けた給水装置１００を用いる。【選択図】図１Ａ
0003213249.tif 000002
【実用新案登録請求の範囲】
【請求項１】
水取り入れ部と、
前記水取り入れ部から水を受け取る混合室と、
前記混合室に位置する攪拌部と、
前記水取り入れ部に位置する泡発生器と、を含む、給水装置。
【請求項２】
さらに、前記混合室から水を受け取る水供給管を有する請求項１記載の給水装置。
【請求項３】
前記水取り入れ部が管状であり、管状の途中に前記泡発生器を取り付けた請求項１または２記載の給水装置。
【請求項４】
前記泡発生器は、多孔質体を有し、空気を前記水取り入れ部に供給する請求項１〜３のいずれか１項に記載の給水装置。
【請求項５】
前記多孔質体の周辺に、前記水取り入れ部の水の流れに対して、水よけを有する請求項４記載の給水装置。
【請求項６】
前記多孔質体が、前記水取り入れ部内で、その位置が変更できる移動機構を有する請求項４または５に記載の給水装置。
【請求項７】
前記多孔質体は、前記水取り入れ部に開口を有するものである請求項４〜６のいずれか１項に記載の給水装置。
【請求項８】
前記泡発生器は、前記水取り入れ部の端部の位置に位置する請求項１〜７のいずれか１項に記載の給水装置。
【請求項９】
前記泡発生器は、空気量を調整する調整部を有する請求項１〜８のいずれか１項に記載の給水装置。
【考案の詳細な説明】
【技術分野】
【０００１】
本願考案は、給水装置に関する。特に、給水時に泡を発生する給水装置に関する。
【背景技術】
【０００２】
従来から、養殖槽や培養槽などの水槽中で泡を発生する装置があった（特許文献１）。この装置は、水槽中に位置し、水を循環させる時に、微細な泡を発生する。この泡により、水中の酸素濃度などの改善など水質の改善するものである。
【先行技術文献】
【特許文献】
【０００３】
【特許文献１】特開２０１２−５９４７号公報
【考案の概要】
【考案が解決しようとする課題】
【０００４】
上記の例では、水槽の深さがある程度ないと、装置を使用できない。よって、本願課題は、浅い水槽でも利用できる給水装置を提供することである。
【課題を解決するための手段】
【０００５】
上記課題を解決するため、水取り入れ部と、上記水取り入れ部から水を受け取る混合室と、上記混合室に位置する攪拌部と、上記水取り入れ部に位置する泡発生器とを含む、給水装置を用いる。
【考案の効果】
【０００６】
本願考案の給水ポンプは、浅い水槽でも利用でき、給水とともに、水に細かい泡を簡便に効率よく発生させることができる。細かい泡により溶存酸素量が増大した水が供給され、動植物などの育成が促進される。
【図面の簡単な説明】
【０００７】
【図１Ａ】実施の形態１の給水装置の断面図
【図１Ｂ】実施の形態１の給水装置の変形例の断面図
【図１Ｃ】実施の形態１の給水装置の変形例の断面図
【図１Ｄ】（ａ）実施の形態１の給水装置の変形例の断面図、（ｂ）〜（ｃ）実施の形態１の混合室の下面図
【図２】実施の形態２の給水装置の断面図
【図３】実施の形態３の給水装置の断面図
【図４Ａ】実施の形態４の給水装置の断面図
【図４Ｂ】（ａ）実施の形態４の給水装置の変形例の断面図、（ｂ）実施の形態４の多孔質体の側面図、（ｃ）実施の形態４の混合室の下面図
【図４Ｃ】（ａ）〜（ｃ）実施の形態４の攪拌部の変形例の斜視図、（ｄ）〜（ｈ）実施の形態４の多孔質体２２の変形例を示す図
【図４Ｄ】（ａ）〜（ｃ）実施の形態４の攪拌部の回転羽根を示す図
【図５】（ａ）実施の形態５の給水装置の断面図、（ｂ）〜（c）実施の形態５の給水装置の水取り入れ部の一部の拡大断面図
【図６Ａ】（ａ）実施の形態６の水取り入れ部に平行方向の給水装置の断面図、（ｂ）〜（ｄ）実施の形態６の泡発生器の水取り入れ部に平行方向の断面図
【図６Ｂ】（ａ）〜（ｄ）実施の形態６の水取り入れ部１５の断面図、（ｅ）〜（ｈ）（ａ）〜（ｄ）の側面図
【図６Ｃ】（ａ）〜（ｃ）実施の形態６の図６Ｂ（ａ）〜図６Ｂ（ｈ）の多孔質体２２の組み込みを説明する図
【図７】（ａ）実施例の水田の写真の図、（ｂ）実施例の水田の拡大写真の図
【図８】実施例の泡を示す写真の図
【考案を実施するための形態】
【０００８】
本願考案を、図１を用いて説明する。
（実施の形態１）
＜構成＞
実施の形態１の給水装置１００を、図１Ａを用いて説明する。給水装置１００は、水槽２４中に配置される。水槽２４には水１６が存在する。
【０００９】
実施の形態１の給水装置１００は、駆動部１０と、攪拌部１２と、混合室１３と、水供給管１１と、水取り入れ部１５と、泡発生器２０とからなる。駆動部１０は、攪拌部１２と繋がり、攪拌部１２を回転させる。モータなどである。
【００１０】
攪拌部１２は、駆動部１０に隣接する混合室１３にあり、泡と水を混合するプロペラなどで回転する。回転子、インペラ、スクリューなどである。ただし、回転せずに、攪拌する機構でもよい。混合室１３は、攪拌部１２を有し、水取り入れ部１５からの水と泡を受けいれる。水と泡とをかき混ぜ、水供給管１１から水と泡を水槽２４へ供給する。水取り入れ部１５は、水槽２４からの水を取り入れる。
【００１１】
水供給管１１は、水槽２４へ、給水装置１００の水を供給する。水取り入れ部１５は攪拌部の１２の下部にあり、水取り入れ部１５が水中にあれば、水深が浅くとも使用できる。
【００１２】
泡発生器２０は、泡を発生する。外部から空気を空気供給部２１から取り入れ、先端の多孔質体２２から泡を発生させる。多孔質体２２へは空気供給部２１から空気を供給する。ここで、水槽２４は、田んぼや畑、池、水槽など動植物が飼育、育成される槽である。なお、空気供給部２１は、円形管状、四角形管状、チューブ状、その他、いずれでもよい。空気を供給できればよい。
【００１３】
多孔質体２２は、球状に均質に穴を有するものが好ましい。エアストーンなどが使用できる。なお、空気供給部２１には、空気を送る装置（エアーポンプ）を設けることが好ましいがなくともよい。水取り入れ部１５内の水の流れで、自然に空気が多孔質体２２を経由して、水取り入れ部１５へ送られる。空気供給部２１には、空気量を調整する調整部１７を設けるのが好ましい。空気量に応じて、泡の大きさが変化する。バルブ、ピンチコックなどである。特に、その高低差から空気を取り組みにくい、以下で説明する実施の形態５、６の陸上タイプの場合、また、水深が深いところに、混合室１３がある場合、空気を送り込みにくいため、空気供給部２１に、空気を送り込むポンプなどを接続することが好ましい。
【００１４】
＜使用方法＞
水槽２４に給水装置１００を設置する。水槽２４の水を水取り入れ部１５より受ける。水取り入れ部１５において、泡発生器２０で泡を発生する。水とともに泡を混合室１３へ入れる。混合室１３で、攪拌部１２によって水と泡を混合し、水と泡とを水供給管１１より水槽２４へ供給する。混合室１３で攪拌部１２により、泡がせん断され、泡がさらに細かくなる。
【００１５】
水取り入れ部１５は、攪拌部１２に水と泡を供給する。結果、攪拌部１２の回転により、泡がせん断され、より細かくなる。水取り入れ部１５の出口はどこにあってもよいが、攪拌部１２の端部よりも中央部に位置することが望ましい。中央部に位置すると水を吸いやすくなり、効率良く水と泡を供給することができる。
【００１６】
なお、混合室１３の位置は、水中が好ましい。少なくとも、水取り入れ部１５は水中に位置することが好ましい。駆動部１０も水中に位置することが好ましい。水で冷却できる。場所の配置には自由度があり、いろいろな場所で使用できる。以下の実施の形態も同様である。
＜効果＞
給水装置１００は、水取り入れ部１５が水中にあれば稼働できるので、給水装置１００は、浅い水槽でも細かな泡を含んだ水を水槽２４に供給できる。このことで、水槽２４中の植物や動物などの生き物の成長が加速される。水取り入れ部１５の配置の場所により、浅い水槽２４でも利用できる。
【００１７】
なお、図１Ａのように、水取り入れ部１５は、攪拌部１２の回転面に対して、垂直下方方向から水を供給するのが好ましい。なお、図１Ｂ〜図１Ｄ（ｃ）は実施の形態１の変形例である。図１Ｂは、図１Ａと異なり水取り入れ部１５の下面に開口がある。水取り入れ部１５は管状でなくともよい。下面の開口部から水を取り入れることができる。図１Ｃは、図１Ａと異なり、水供給管１１が、下方を向いている。水供給管１１は、上方、下方、水平方向のいずれに向いていてもよい。図１Ｄ（ａ）は、水供給管１１が水平方向を向いている例である。また、図１Ｄ（ｂ）は、図１Ｄ（ａ）時の混合室１３の下面である。水供給管１１は、１つある。図１Ｄ（ｃ）は、変形例であり、水供給管１１が４つ、異なる方向へ向けてある。水供給管１１は、１つでなく複数あってもよい。
【００１８】
（実施の形態２）
＜構成＞
実施の形態２の給水装置２００を説明する。実施の形態１との相違点を説明する。説明しない事項は実施の形態１と同様である。図２は、給水装置２００の断面図である。給水装置２００では、水取り入れ部１５の構造が実施の形態１と異なる。給水装置２００では、水取り入れ部１５が筒状であり、その筒中に多孔質体２２が位置する。実施の形態１の効果に加え、以下の効果がある。水の流れ（点線）を制御でき、泡の発生を制御しやすい。水取り入れ部１５の管にフィルターなど付けることで、水中の浮遊物が混合室１３に入らないようにすることができ、故障を防止できる。
【００１９】
（実施の形態３）
＜構成＞
実施の形態３の給水装置３００を説明する。実施の形態１、２との相違点を説明する。説明しない事項は実施の形態１、２と同様である。
【００２０】
図３は、実施の形態３の給水装置３００の断面図である。実施の形態１，２との相違点は、泡発生器２０である。泡発生器２０の空気供給部２１が太い管であり、多孔質体２２が、その管に複数の小さな開口を設けた形状となっている。また、管にガラスフィルターや多孔質シリコンラバー、フッ素樹脂多孔体などの多孔質体をはめこんだ形状でもよく、いろいろな形状の開口を設けることができる。
【００２１】
多孔質体２２は管の底部に設置されていてもよいが、水の流れに対向しない方向、つまり、下流側に向いて設置されていることが望ましい。空気供給部２１は、水取り入れ部１５に差し込まれている。差し込む量で泡の発生量を制御できる。実施の形態１、２の効果に加え、以下の効果がある。多孔質体２２の開口の量、密度、大きさで泡を制御できる。また、空気供給部２１を回転させること、または、位置を変えることで、多孔質体２２の位置が変わり、泡の発生を制御できる。
【００２２】
（実施の形態４）
実施の形態４の給水装置４００を説明する。実施の形態１〜３との相違点を説明する。説明しない事項は実施の形態１〜３と同様である。図４Ａは、実施の形態４の給水装置４００の断面図である。実施の形態１〜３との相違点は、泡発生器２０である。
【００２３】
空気供給部２１が、混合室１３にまで延伸して位置する。さらに、空気供給部２１の多孔質体２２が、空気供給部２１の側面（先端でもよい）に設けられ、攪拌部１２の下部に設けられている。なお、空気供給部２１を、水取り入れ部１５の入口から差し込んでもよいし、水取り入れ部１５の途中に開口を設け、差し込んでもよい。上記の実施の形態の効果により、より多くの泡を発生できる。
【００２４】
図４Ｂ（ａ）〜図４Ｃ（ｈ）は図４Ａの多孔質体２２の変形例である。図４Ｂ（ａ）では、水取り入れ部１５と多孔質体２２部分の構造が異なる。水取り入れ部１５は、混合室１３に設けられた開口（混合室１３の水取り入れ口）のみである。多孔質体２２は、空気供給部２１の先端になる。その構造を図４Ｂ（ｂ）で説明する。図４Ｂ（ｂ）は、多孔質体２２の側面図である。管状の空気供給部２１の先端が多孔質体２２に嵌め込まれている。空気供給部２１は、上方に開口を有する。発生する泡が、混合室１３へ向かいやすいようにしている。
【００２５】
図４Ｂ（ｃ）は、混合室１３の下面で、図４Ｂ（ｂ）の変形例を示す。混合室１３の開口部分、水取り入れ部１５の周辺に多孔質体２２を設けている。泡が均質に混合室１３へ導かれる。浮遊物が詰まることがない。多孔質体２２は、ブロック状、管状であってもよい。断面が円のチューブでも、四角形状でも三角形状の管でもよい。
【００２６】
図４Ｃ（ａ）〜図４Ｃ（ｈ）は、多孔質体２２の変形例を示す図である。図４Ｃ（ａ）は、混合室１３周辺の断面図である。図４Ｃ（ｂ）は図４Ｃ（ａ）の底面図である。水取り入れ部１５の断面（水の流れに垂直方向の断面）において、多孔質体２２が一部を占めている。この例では、円形状の断面中央を多孔質体２２で橋渡ししている。混合室１３に多孔質体２２の周囲から水が取り入れられ、同時に泡も取り入れられる。図４Ｃ（ｂ）では、多孔質体２２は、一本であるが、複数本でもよし、三角形状など多角形でもよい。
【００２７】
図４Ｃ（ｃ）は、混合室１３周辺の断面図である。図４Ｃ（ｄ）は図４Ｃ（ｃ）の底面図である。水取り入れ部１５の側面において、水の流れに平行に、水取り入れ部１５の周囲に多孔質体２２が配置されている。図４Ｃ（ｅ）〜図４Ｃ（ｈ）は、混合室１３の断面図である。多孔質体２２の形状、開口を示す。図４Ｃ（ｅ）では、多孔質体２２が水取り入れ部１５の側面にあり、多孔質体２２の上部（混合室１３側）に開口があり、泡が発生する。開口は、水の流れと垂直方向の面にあり、水の流れを直接受けず、泡の発生がスムーズである。
【００２８】
図４Ｃ（ｆ）では、多孔質体２２が水取り入れ部１５の外周側面にあり、水取り入れ部１５の側面に多孔質体２２の開口があり、泡が発生する。開口は、水の流れと平行方向の面にあり、水の流れを直接受けず、泡の発生がスムーズである。
【００２９】
図４Ｃ（ｇ）では、多孔質体２２が水取り入れ部１５の側面にあり、多孔質体２２が断面三角形状で上部（混合室１３側）に開口があり、泡が発生する。開口は、水の流れと対抗しない斜め方向の面にあり、水の流れを直接受けず、泡の発生がスムーズである。図４Ｃ（ｈ）では、多孔質体２２が水取り入れ部１５の側面にあり、多孔質体２２の上部（混合室１３側）と側面（水の流れ方向に平行な面）に開口があり、泡が発生する。開口は、水の流れと対向せず、泡の発生がスムーズである。
【００３０】
なお、多孔質体２２の形状は、方形額縁、円形ドーナツ状、断面三角形の形状などいろいろな形状でもよい。他の実施の形態の多孔質体２２も同様である。
さらに、多孔質体２２は、１つでなく複数個取り付けてもよいし、異なる種類の多孔質体２２を異なる位置に取り付けてもよい。
【００３１】
また、攪拌部１２の変形例を図４Ｄ（ａ）〜図４Ｄ（ｃ）に示す。攪拌部１２の回転羽根に円形の穴、櫛状の切れ込みを設けてもよい。回転羽根の表面に凹凸を設けてもよい。より泡が発生しやすい。なお、回転羽根形状は、従来どおりいろいろな形状がある。また、空気供給部２１と多孔質体２２とを含む泡発生器２０を部品として、既存するホンプに取り付けることができる。混合室１３に泡発生器２０を取り付けることが好ましい。
【００３２】
（実施の形態５）
実施の形態５の給水装置５００を説明する。実施の形態１〜４との相違点を説明する。説明しない事項は実施の形態１〜４と同様である。
【００３３】
図５（ａ）は、給水装置５００の断面図である。給水装置５００は、実施の形態１〜４の給水装置と異なり、陸上に配置される。図５（ａ）では、駆動前の状態で、水が、水取り入れ部１５、混合室１３等に入っていない状態を示している。稼働すると、それらは水で満たされる。
【００３４】
この実施の形態は、水源２３の水を、水槽２４に供給する供水装置の形態である。水源２３は、川、河川などであり。水槽２４は、養殖の水槽、飼育用の水槽などである。泡発生器２０は、図２と同様に、水取り入れ部１５の先端部分の周辺に配置されている。
【００３５】
このことで、駆動部１０などの部分を、水中におく必要がない。泡発生器２０を水源２３の水中に配置しているので、水取り入れ部１５が水を吸い上げることができる。特に、多孔質体２２の位置が水中であれば、給水装置５００が陸上にあっても、給水装置５００は、稼働できる。
【００３６】
図５（ｂ）、図５（ｃ）は、泡発生器２０の拡大断面図である。図５（ｂ）と図５（ｃ）とで、多孔質体２２の位置が異なる。図５（ｂ）の方が、図５（ｃ）より、多孔質体２２と水取り入れ部１５との間の空間が広い。つまり、水の流れが遅い。この結果、空気供給部２１が自然に空気を取り入れる場合、図５（ｂ）の方が、図５（ｃ）より、空気を取り入れ量が少ない。多孔質体２２の位置を移動できる機構がある。この移動機構は、ネジ式でもシールド方式でもよい。シールド方式は、空気供給部２１をシールドしつつ、空気供給部２１が、水取り入れ部１５内を移動できる。
【００３７】
なお、上記でのように多孔質体２２の移動で状況を変化させるためには、移動前後で、多孔質２２と水取り入れ部１５の内面との距離が変化する必要がある。そのため、水取り入れ部１５の管内径を、多孔質体２２の移動場所間で変化させる必要がある。また、他の実施の形態でも同様に、多孔質体２２の位置を変更でき、このことを実現できる。
【００３８】
（実施の形態６）
実施の形態６の給水装置６００を説明する。実施の形態５との相違点を説明する。説明しない事項は実施の形態５と同様である。
【００３９】
図６Ａ（ａ）は、給水装置６００の断面図である。実施の形態５と、空気供給部２１が異なる。空気供給部２１は、図３の例と同様である。図３、図４Ａと同様の効果がある。図６Ａ（ｂ）〜図６Ｂ（ｈ）は、水取り入れ部１５中の多孔質体２２の位置、配置状態を説明する図である。図６Ａ（ｂ）〜図６Ｂ（ｄ）は、水取り入れ部１５の断面図、図６Ｂ（ｅ）〜図６Ｂ（ｈ）は、それぞれ、図６Ｂ（ａ）〜図６Ｂ（ｄ）の水取り入れ部１５の上流側から見た側面図である。
【００４０】
図６Ａ（ｄ）に示すように、多孔質体２２は、水の流れに対向しない面に多孔質体２２が位置するのが好ましい。なぜなら、空気供給部２１は、自然に空気を取り入れるため、多孔質体２２で水を受けると、空気が取り入れにくい。
【００４１】
図６Ａ（ｃ）のように、水の流れをうけない水よけ２６を多孔質体２２の周辺に設けるとよい。なお、図６Ａ（ｂ）の場合も、水の流れと対向しない多孔質体２２から泡を供給することはできる。図１Ａでも多孔質体２２の周辺に水よけ２６がある。図２でも、多孔質体２２の後方から水が流れるので、泡が発生しやすい。図６Ｂ（ａ）〜図６Ｂ（ｈ）では、水取り入れ部１５の水の通り道の周囲に対して多孔質体２２を配置している。図６Ｂ（ａ）では、多孔質体２２は、ドーナツ状で、水取り入れ部１５の途中に配置される。水の流れに対向しない面（下流側に面する面）に開口部を有し、泡を発生させる。
【００４２】
図６Ｂ（ｂ）で、示すように多孔質体２２は、水の流れ方向に垂直な面に開口を有し、泡を発生する。図６Ｂ（ｃ）では、多孔質体２２が、取り入れ部１５より大きく、取り入れ部１５の側面から泡を発生させる。図６Ｂ（ｄ）では、多孔質体２２が、取り入れ部１５より大きく、かつ、一部、取り入れ部１５内部に位置する。内部に位置する多孔質体２２の部分は断面が三角形であり、三角形で水の流れに対向しない面に開口があり、泡を発生する。
【００４３】
図６Ｂ（ａ）〜図６Ｂ（ｈ）のいずれの例も泡をスムーズは発生できる。図６Ｃ（ａ）〜図６Ｃ（ｃ）は、図６Ｂ（ａ）〜図６Ｂ（ｈ）の多孔質体２２の組み込みを説明する図である。図６Ｃ（ｃ）に示す多孔質体２２と空気供給部２１とからなる部品を、図６Ｃ（ａ）〜図６Ｃ（ｂ）に示すように、水取り入れ部１５の間に挿入する。このことで、図６Ｂ（ａ）〜図６Ｂ（ｈ）の構造が作製できる。
【００４４】
＜実施例１＞
図６Ａ（ａ）の給水装置６００を用いて、本田に水を供給した。図７（ａ）、図７（ｂ）は、１週間後の本田の写真である。図７（ａ）は本田の一部、図７（ｂ）は、本田のＡ，Ｂ，Ｃの地点の拡大写真である。Ａの部分に水を供給している。Ａの部分の植物の成長が早いことがわかる。
【００４５】
また、図６Ａ（ａ）の給水装置６００を用いて、苗を育てた。従来、場所によって、例えば、水の取り入れ口に近い（水温が低いので生育が遅れる）場所と中央と外側（風通し、日照など刺激を受けると生育がすすむ）で、長さはばらついていた。しかし、本願の給水装置を用いた場合、場所によるばらつき少なく、長さがそろった。
【００４６】
さらに、苗は、葉色が落ちたりすることもなく、最後まで若々しい苗のまま成長した。さらに、苗を本田移植後も生育が良好であった。なお、この時の泡の状態を図８に示す。図８は、水中の除草シート（ポリプロピレン）に付着した泡である。従来の装置では、大きな泡しか発生せず、泡は水中の除草シートにほとんど付かなかった。また、大きな泡は、すぐに水面に浮かんだ。
【００４７】
しかし、実施例では、小さな泡を効率的に発生させることができ、小さな泡のため、すぐに水面に上昇せず、水中を漂い、水中のものに付着しやすい。この小さな泡は、溶存酸素量の効率的な増大や嫌気性菌の繁殖抑制など、従来の大きな泡と異なる特性があり、動植物の成長の促進に貢献できる。
【００４８】
（全体として）
実施の形態は組み合わせできる。陸上型、水中型の給水装置を組み合わせることができる。多孔質体２２は、管状で開口があるものでも、ブロック状で孔があるものでもよい。
【産業上の利用可能性】
【００４９】
本願給水装置は、田畑、各種水槽などに利用できる。植物、動物の成長を促進させることができる。
【符号の説明】
【００５０】
１０  駆動部
１１  水供給管
１２  攪拌部
１３  混合室
１５  水取り入れ部
１６  水
１７  調整部
２０  泡発生器
２１  空気供給部
２２  多孔質体
２３  水源
２４  水槽
２６  水よけ
１００、２００、３００、４００、５００、６００  給水装置
【図１Ａ】
0003213249.tif 000003
【図１Ｂ】
0003213249.tif 000004
【図１Ｃ】
0003213249.tif 000005
【図１Ｄ】
0003213249.tif 000006
【図２】
0003213249.tif 000007
【図３】
0003213249.tif 000008
【図４Ａ】
0003213249.tif 000009
【図４Ｂ】
0003213249.tif 000010
【図４Ｃ】
0003213249.tif 000011
【図４Ｄ】
0003213249.tif 000012
【図５】
0003213249.tif 000013
【図６Ａ】
0003213249.tif 000014
【図６Ｂ】
0003213249.tif 000015
【図６Ｃ】
0003213249.tif 000016
【図７】
0003213249.tif 000017
【図８】
0003213249.tif 000018